(57)【特許請求の範囲】
【請求項１】
可逆性感熱記録を行なう書換表示部と、非接触で外部と交信を行なう非接触ＩＣモジュールとを備えた書換表示部付き非接触ＩＣカードに使用されるリーダライタであって、前記書換表示部に可視情報を非接触で記録及び／又は消去する書換装置と、前記非接触ＩＣモジュールと非接触で交信を行うアンテナ部と、を備えた書換表示部付き非接触ＩＣカードのリーダライタにおいて、
前記書換表示部は、熱エネルギーの作用により、可視情報の記録及び／又は消去が可能な可逆性感熱記録層を備え、
前記書換装置は、レーザ光照射部からレーザ光を照射するレーザ光照射手段と、
前記レーザ光照射部から照射されたレーザ光を、前記書換表示部の第１の方向にミラーによって走査する走査手段と、
前記レーザ光照射部を前記書換表示部に対して、前記第１の方向と直交する第２の方向に相対的に移動する移動手段と、
を備えたことを特徴とする書換表示部付き非接触ＩＣカードのリーダライタ。
【請求項２】
請求項１に記載の書換表示部付き非接触ＩＣカードのリーダライタにおいて、
前記ミラーは、長辺に平行な回転軸をもつ帯状であって、その回転軸方向のサイズが、少なくとも前記書換表示部の記録領域の長手方向のサイズであること
を特徴とする書換表示部付き非接触ＩＣカードのリーダライタ。
【請求項３】
請求項１又は請求項２に記載の書換表示部付き非接触ＩＣカードのリーダライタにおいて、
前記ミラーは、前記回転軸と直交する方向のサイズが、前記レーザ光を受けることができる最小幅であること
を特徴とする書換表示部付き非接触ＩＣカードのリーダライタ。
【請求項４】
請求項１から請求項３のいずれか１項に記載の書換表示部付き非接触ＩＣカードのリーダライタにおいて、
前記書換表示部付き非接触ＩＣカードを挿入するカード挿入部を備え、前記書換装置と前記アンテナ部とは、前記カード挿入部の対向する側に配置されていること
を特徴とする書換表示部付き非接触ＩＣカードのリーダライタ。
【請求項５】
請求項１から請求項４のいずれか１項に記載の書換表示部付き非接触ＩＣカードのリーダライタにおいて、
前記カード挿入部に設けられ、前記書換表示部付き非接触ＩＣカードを位置決めする位置決め手段を備えたこと
を特徴とする書換表示部付き非接触ＩＣカードのリーダライタ。
【請求項６】
請求項１から請求項３のいずれか１項に記載の書換表示部付き非接触ＩＣカードのリーダライタにおいて、
前記書換表示部付き非接触ＩＣカードを載置するカード載置部を備え、
前記書換装置と前記アンテナ部とは、前記カード載置部の片側に配置されていること
を特徴とする書換表示部付き非接触ＩＣカードのリーダライタ。
【請求項７】
請求項６に記載の書換表示部付き非接触ＩＣカードのリーダライタにおいて、
前記カード載置部の表面を覆う蓋部材を備えたこと
を特徴とする書換表示部付き非接触ＩＣカードのリーダライタ。
【請求項８】
請求項１から請求項３のいずれか１項に記載の書換表示部付き非接触ＩＣカードのリーダライタにおいて、
前記書換表示部付き非接触ＩＣカードを載置するカード載置部と、
前記カード載置部を覆う蓋部材とを備え、
前記アンテナ部は、前記蓋部材の内部に配置されていること
を特徴とする書換表示部付き非接触ＩＣカードのリーダライタ。
【請求項９】
請求項７又は請求項８に記載の書換表示部付き非接触ＩＣカードのリーダライタにおいて、
前記蓋部材の閉状態を検出する閉状態検出手段を備え、
前記書換装置は、前記閉状態検出手段が前記蓋部材の閉状態を検出しているときに、書き換え可能であること
を特徴とする書換表示部付き非接触ＩＣカードのリーダライタ。
【発明の詳細な説明】
【０００１】
【発明の属する技術分野】
本発明は、可逆性感熱記録を行なう書換表示部と、非接触で外部と交信を行なう非接触ＩＣモジュールとを備えた書換表示部付き非接触ＩＣカードに使用される書換表示部付き非接触ＩＣカードのリーダライタに関するものである。
【０００２】
【従来の技術】
図１２は、可逆性感熱記録層を有するリライトカードの一般的構成を説明する図である。このリライトカード６０は、図１２（Ａ）に示すように、カード基材６１上に、可逆性感熱記録層（書換表示部）６２が設けられており、必要に応じて、ＩＣモジュール６３が搭載されたり、エンボス文字６４が形成されたりしている。
【０００３】
この可逆性感熱記録層６２は、樹脂母材と、この樹脂母材中に分散された有機低分子物質とを主成分とする感熱記録材料（例えば、特許第２７００２３４号等）を有しており、図１２（Ｂ）に示すように、記録及び消去を行っていた。
【０００４】
まず、感熱記録材料は、常温Ｔ０のときＤの状態（消去状態）であるとする。
この感熱記録材料は、記録したい部位の温度を、Ｔ１→Ｔ２→Ｔ３に上げると、カーブに沿って、ＤからＣさらにＥへと状態が変化する。Ｅの状態は、これ以上温度を上げても濃度が変化しない状態である。このＥの状態をへて、温度をＴ３からＴ０まで下げることによって、低反射状態、すなわち、Ａの状態（記録状態）となる。
【０００５】
いま、感熱記録材料は、常温Ｔ０のときに、Ａの状態（記録状態）であるとする。そして、この感熱記録材料は、所望部位の温度を、Ｔ１→Ｔ２に上げると、カーブに沿って、ＢからＣへと状態が変化し、 最大反射濃度に達する。ここで、温度をＴ０に下げると、反射濃度は、そのまま保持されＤの状態（消去状態）となる。
【０００６】
従って、可逆性感熱記録層６２は、上記のような感熱記録材料の表面に、熱を選択的に印加することにより、所望の部位を加熱して、透明地に白濁の可視情報を形成したり、白濁地に透明の可視情報を形成することができ、その変化は、何回も繰り返することが可能である。また、このような感熱記録材料の背面に着色層を形成すれば、白地に着色層の色の可視情報又は着色層の色の地に、白色の可視情報を形成することができる。
【０００７】
従来、可視情報の記録手段は、電流によって発熱する微小な発熱体を直線状に配置したサーマルヘッドを使用し、感熱記録媒体上を接触しながら走査し、任意の箇所の発熱体を加熱・冷却することによって、微小点による文字等を形成していた。
【０００８】
【発明が解決しようとする課題】
しかし、前述した従来のサーマルヘッドは、感熱記録媒体上を接触しながら走査するので、磨耗によって、耐久性が低下すると共に、汚れなどに対してメンテナンスが必要である等の問題があった。
【０００９】
この問題を解決するために、集光されたレーザービームを走査して描画を行うことが考えられる。この場合に、光ビームを反射鏡にあて、反射鏡を振ることにより、光ビームを走査するのが一般的である。光ビームの走査手段としては、例えば、ガルバノメータスキャナーやポリゴンミラー等がよく用いられている。
【００１０】
図１３は、ガルバノメータスキャナーを使用した走査機構の一例を示す図である。この走査機構１００は、互いに直交する軸回りに配置されたモータ１０４，１０５と、モータ１０４，１０５で回転駆動される反射鏡１０２，１０３と、反射鏡１０２，１０３で反射されたレーザビームを所定径に収束する焦点距離補正光学系１０７等とを備えている。
【００１１】
レーザ光１２０は、モータ１０４，１０５によって回転駆動される反射鏡１０２，１０３で反射され、ｆ−θレンズなどを用いた焦点距離補正光学系１０７によって、所定径のレーザビーム１１０に収束されたうえで、照射対象物１１５に照射される。
【００１２】
しかし、この走査機構１００は、反射鏡１０２，１０３によるビーム走査方式を採用しており、ビームの振り角によって、反射鏡１０２，１０３の反射点から結像させるべき位置までの距離が変わるので、フォーカスエラーＥＲが生じる。従って、この振り角によるフォーカスエラーＥＲを補正するために、高価な焦点距離補正光学系１０７が余分に必要であった。
【００１３】
また、焦点距離補正光学系１０７を用いて、フォーカスエラーＥＲを補正した場合であっても、照射対象物１１５へ照射されるレーザビーム１１０のエネルギーの利用効率が悪い、という問題があった。
なお、レーザプリンタ等は、セレンなどの感度のよい感光ドラムに描画するので、エネルギーの利用効率は、あまり問題としていない。しかし、この可逆性感熱記録媒体は、感度をよくすると、高温の環境下（夏場に自動車内に置き忘れた場合など）で、可視情報が消去されてしまう恐れがある。このため、感度を悪くしてあるので、エネルギーの利用効率の向上が望まれる。
【００１４】
一方、特開平７−１２５４８３号は、カード基体内に非接触ＩＣモジュールを内蔵し、カード基体の表面に書き換え可能なリライト層（書換表示部）を設けた書換表示部付き非接触ＩＣカードを提案している。
【００１５】
この書換表示部付き非接触ＩＣカードに使用されるリーダライタの具体的な構造は、上記提案には開示されておらず、書換表示部の書き換えを行う他に、非接触ＩＣモジュールとの交信を行わなければならないので、装置が大型化するという、問題があった。
【００１６】
本発明の目的は、書換表示部の書き換えと、非接触ＩＣモジュールとの交信を効率よく行え、しかも、簡単な構造で小型・軽量かつ安価に製造することができる書換表示部付き非接触ＩＣカードのリーダライタを提供することである。
【００１７】
本発明の他の目的は、書換表示部の書き換えを非接触で行えると共に、エネルギーの利用効率がよく、鮮明な画像を記録できる書換表示部付き非接触ＩＣカードのリーダライタを提供することである。
【００１８】
【課題を解決するための手段】
前記課題を解決するために、請求項１の発明は、可逆性感熱記録を行なう書換表示部と、非接触で外部と交信を行なう非接触ＩＣモジュールとを備えた書換表示部付き非接触ＩＣカードに使用されるリーダライタであって、前記書換表示部に可視情報を非接触で記録及び／又は消去する書換装置と、前記非接触ＩＣモジュールと非接触で交信を行うアンテナ部と、を備えた書換表示部付き非接触ＩＣカードのリーダライタにおいて、前記書換表示部は、熱エネルギーの作用により、可視情報の記録及び／又は消去が可能な可逆性感熱記録層を備え、前記書換装置は、レーザ光照射部からレーザ光を照射するレーザ光照射手段と、前記レーザ光照射部から照射されたレーザ光を、前記書換表示部の第１の方向にミラーによって走査する走査手段と、前記レーザ光照射部を前記書換表示部に対して、前記第１の方向と直交する第２の方向に相対的に移動する移動手段と、を備えたことを特徴とする書換表示部付き非接触ＩＣカードのリーダライタである。
請求項２の発明は、請求項１に記載の書換表示部付き非接触ＩＣカードのリーダライタにおいて、前記ミラーは、長辺に平行な回転軸をもつ帯状であって、その回転軸方向のサイズが、少なくとも前記書換表示部の記録領域の長手方向のサイズであることを特徴とする書換表示部付き非接触ＩＣカードのリーダライタである。
請求項３の発明は、請求項１又は請求項２に記載の書換表示部付き非接触ＩＣカードのリーダライタにおいて、前記ミラーは、前記回転軸と直交する方向のサイズが、前記レーザ光を受けることができる最小幅であることを特徴とする書換表示部付き非接触ＩＣカードのリーダライタである。
【００１９】
請求項４の発明は、請求項１から請求項３のいずれか１項に記載の書換表示部付き非接触ＩＣカードのリーダライタにおいて、前記書換表示部付き非接触ＩＣカードを挿入するカード挿入部を備え、前記書換装置と前記アンテナ部とは、前記カード挿入部の対向する側に配置されていることを特徴とする書換表示部付き非接触ＩＣカードのリーダライタである。
【００２０】
請求項５の発明は、請求項１から請求項４のいずれか１項に記載の書換表示部付き非接触ＩＣカードのリーダライタにおいて、前記カード挿入部に設けられ、前記書換表示部付き非接触ＩＣカードを位置決めする位置決め手段を備えたことを特徴とする書換表示部付き非接触ＩＣカードのリーダライタである。
【００２１】
請求項６の発明は、請求項１から請求項３のいずれか１項に記載の書換表示部付き非接触ＩＣカードのリーダライタにおいて、前記書換表示部付き非接触ＩＣカードを載置するカード載置部を備え、前記書換装置と前記アンテナ部とは、前記カード載置部の片側に配置されていることを特徴とする書換表示部付き非接触ＩＣカードのリーダライタである。
【００２２】
請求項７の発明は、請求項６に記載の書換表示部付き非接触ＩＣカードのリーダライタにおいて、前記カード載置部の表面を覆う蓋部材を備えたことを特徴とする書換表示部付き非接触ＩＣカードのリーダライタである。
【００２３】
請求項８の発明は、請求項１から請求項３のいずれか１項に記載の書換表示部付き非接触ＩＣカードのリーダライタにおいて、前記書換表示部付き非接触ＩＣカードを載置するカード載置部と、前記カード載置部を覆う蓋部材とを備え、前記アンテナ部は、前記蓋部材の内部に配置されていることを特徴とする書換表示部付き非接触ＩＣカードのリーダライタである。
【００２４】
請求項９の発明は、請求項７又は請求項８に記載の書換表示部付き非接触ＩＣカードのリーダライタにおいて、前記蓋部材の閉状態を検出する閉状態検出手段を備え、前記書換装置は、前記閉状態検出手段が前記蓋部材の閉状態を検出しているときに、書き換え可能であることを特徴とする書換表示部付き非接触ＩＣカードのリーダライタである。
【００２８】
【発明の実施の形態】
以下、図面などを参照しながら、本発明の実施の形態をあげて、さらに詳しく説明する。
（第１実施形態）
図１は、本発明による書換表示部付き非接触ＩＣカードのリーダライタの第１実施形態を示す図である。
本実施形態の書換表示部付き非接触ＩＣカードのリーダライタ（以下、単に、リーダライタという）１Ａは、前述した可逆性感熱記録を行なう書換表示部（以下、感熱記録層ということがある）６２と、非接触で外部と交信を行なう非接触ＩＣモジュール６３Ａとを備えた書換表示部付き非接触ＩＣカード（以下、リライトカード又は単にカードという）６０に使用されるものである。
【００２９】
リーダライタ１Ａは、本体２の中に、書換表示部６２に可視情報を非接触で記録及び／又は消去する書換装置５０と、非接触ＩＣモジュール６３と非接触で交信を行うアンテナ部３とを備えており、本体２のカード挿入部６にカード６０を差し込む差込タイプである。書換装置５０とアンテナ部３とは、カード挿入部６を挟んだ反対側（対向する側）に配置されている。
また、カード挿入部６には、カード６０の書換表示部６２の書換位置に位置決めする板ばね状の止め具（位置決め手段）４が設けられている。
【００３０】
このように、第１実施形態のリーダライタ１Ａは、カード６０をカード挿入部６に挿入し、止め具４で位置決め固定された状態で、アンテナ部４によって、非接触ＩＣモジュール６３Ａと非接触で交信を行なうと共に、書換装置５０によって、後述するように、非接触で書換表示部６２の可視情報を書き換えることができる。このとき、カード６０が停止した状態でよいので、カード６０の搬送装置が必要なく、リーダライタ１Ａの構造が簡単で小型化が図れる。
【００３１】
また、カード挿入部にカード６０を位置決めした上で、書換装置６０によって、カード６０の表側の書換表示部６２に書き換えを行い、アンテナ部４によって、カード６０の裏側に近接した位置から交信できるので、両動作が安定して行なえる、という利点がある。
【００３２】
図２は、第１実施形態によるリーダライタの書換装置５０を示すブロック図である。図３、図４は、図２の書換装置５０の構造を示す正面図、平面図及び側面図である。
【００３３】
この実施形態の記録消去装置５０は、カード６０に設けられ、熱エネルギーの作用により、可視情報の記録・消去が可能な感熱記録層（書換表示部）６２を書き換える装置であって、レーザ光照射手段１０と、走査装置２０と、移動装置３０と等とを備えている。
【００３４】
レーザ光照射装置１０は、レーザ光を照射する装置であり、レーザダイオード（ＬＤ）ドライバ１１と，レーザダイオード（ＬＤ）１２と，光ファイバ１３と、レンズヘッド（レーザ光照射部）１４等とを備えている。
【００３５】
走査装置２０は、レンズヘッド１４から照射されたレーザ光を、リライトカード６０のＹ軸方向（第１の方向）に走査する装置であり、図２〜図４に示すように、Ｙ軸モータ２１と、Ｙ軸モータ２１の出力軸に固定されたＹ軸スキャニングミラー２２と、レンズヘッド１４からのレーザ光を、折り返してＹ軸スキャニングミラー２２に導く固定折返ミラー２３（図４参照）等とを備えている。
【００３６】
スキャニングミラー２２は、矩形で細長い帯状のミラーであり、その回転軸方向のサイズａが、リライトカード６０（図５参照）の感熱記録層６２の有効記録領域の長手方向のサイズａ0 と同じサイズにしてある。このサイズにすれば、リライトカード６０に対して、回転軸方向には、レンズヘッド１４を移動するだけでよく、スキャニングミラー２２の移動が不要となるからである。
【００３７】
一方、回転軸と直交する方向のサイズｂが、レーザ光を受けることできる最小幅としてある。このサイズにすれば、小型かつ軽量となり、小さなＹ軸モータ２１で駆動できるからである。
また、感熱記録層６２の有効記録領域の短手方向のサイズｂ0 は、狭い幅にすれば、スキャニングミラー２２の回転角θが小さくて済むので、従来例のように、焦点距離補正光学系は不要である。
具体的には、感熱記録層６２の有効記録領域がａ0 ×ｂ0 ＝６０×１２ｍｍであり、スキャニングミラー２２の回転角θ＝±１１度の場合に、スキャニングミラー２２の有効サイズは、ａ×ｂ＝６０×８ｍｍとしてある。
【００３８】
移動装置３０は、レンズヘッド１４をＸ軸方向（第２の方向）に移動する装置であって、図３又は図４に示すように、Ｘ軸モータ３１と、Ｘ軸モータ３１の出力軸に設けられたプーリ３２と、移動端側に設けられたフリーのプーリ３３と、プーリ３２，３３にかけられたＸ軸移動用のタイミングベルト３４と、レンズヘッド１４をタイミングベルト３４に固定する固定具３５等とを備えている。
【００３９】
制御部５１は、描画情報に基づいて、走査装置２０と移動装置３０とを駆動しながら、レンズヘッド１４からレーザ光を選択的に照射する。
なお、制御部５１には、可視情報を入力するキーボードなどの操作部５２や、その可視情報やその他の情報等を、目視により確認するためのＣＲＴ等の表示部５３も接続されている。
【００４０】
図５は、第１実施形態に係るリーダライタの書換装置の描画動作を説明する図である。
この書換装置５０は、ラスター制御によって、可視情報の描画を行うことができる。この場合に、感熱記録層６２において、Ｘ軸モータ３１を、Ｘ軸方向に駆動して、レンズヘッド１４を記録領域の１列目に移動させ、Ｙ軸モータ２１を駆動して、スキャニングミラー２２をＹ軸方向にスキャニングし、描画情報に基づく描画すべき位置で、ＬＤ１２をオンする。この位置を、○印で示している。そして、１列目の描画が終わった後に、Ｙ軸モータ３１を駆動して、レンズヘッド１４をＹ軸方向に移動し、次の列の描画を、前述と同様にして行い、所望の文字を描画する。
移動装置３０は、記録領域に複数行の文字列を描く場合であっても、レンズヘッド１４を記録領域の長手方向に１回移動するだけで、記録を行なうことができる。この移動装置３０は、複数回往復させると、バックラッシュなどにより、位置精度が悪くなり、簡単な構造では実現できなくなるからである。
【００４１】
次に、消去動作について説明する。消去に必要なエネルギーは、ＬＤ１２の出力が波長８００ｎｍであって、０．７ｗのものの場合には、記録のときの約７０％である。例えば、直径約１００μｍ程度の光スポットＳ１によって軌跡を描いて、文字を記録したときに、レンズヘッド１４の光学系の焦点を移動して、記録時の光スポットＳ１よりも、広い光スポットＳ２により、同一の軌跡を描いて、その文字を消去することができる。光スポットＳ２は、光スポットＳ１よりもエネルギーが７０％となるような大きさに設定しておけば、出力の制御をする必要がない。また、消去時のスポットＳ２が、記録時の光スポットＳ１よりも広いので、位置ずれを起こしたとしても、確実に消去することができる。
【００４２】
この書換装置５０は、以下のような利点がある。
（１）  従来の接触式サーマルヘッドによる構造との比較
（ａ）  本実施形態は、リライトカード６０の感熱記録層６２にレーザ光を照射する非接触方式であるので、記録・消去を繰返しても、感熱記録層６２にストレスがかからず、記録・消去の耐久性が桁違いに向上する。
【００４３】
（ｂ）  本実施形態は、手油によるリライトカード６０の汚れ、リライトカード６０の平滑性不良（エンボスによって生じるカールなど）があっても、印字不良が生じないので、メンテナンスが非常に楽である。
これに対して、サーマルヘッド方式は、カード面に手油があったり、感熱記録層６２の記録面とサーマルヘッドとの密着性が悪いと、印字品質が著しく低下してしまう。
【００４４】
（ｃ）  サーマルヘッド方式では、感熱記録層６２の記録面の手油や塵がサーマルヘッドに付着するので、メンテナンスが必要だったり、塵などにより、ヘッド面に傷が付くなどの問題があり、ヘッド本来の寿命前に交換することが多かったが、本実施形態のレーザー方式は、上記のようなことがなく、メンテナンスが楽である。
【００４５】
（ｄ）  本実施形態は、非接触であるので、リライトカード６０にエンボス６４の領域があっても、対応が可能である。
（ｅ）  本実施形態は、リライトカード６０の端部まで印字が可能である。サーマルヘッド方式では、サーマルヘッドを上下動させて、感熱記録層６２の記録面にサーマルヘッドをセットするので、カード端部は、デッドスペースとなり、記録することができない。
【００４６】
（２）  本実施形態は、矩形で細長い帯状のスキャニングミラー２２をただ一枚用いて、記録面の短手方向（Ｙ軸方向）にスキャンさせるので、フォーカス誤差も少なく、補正の必要がない。つまり、Ｆθレンズが不要であるので、構造が簡単となり、小型・軽量でかつ安価に製造することができる。
【００４７】
（３）  本実施形態は、光ファイバ１３のレンズヘッド１４を、スキャニングミラー２２の長手方向（Ｘ軸）に沿って、一定方向へ順次移動させるだけであるので、絶対的な位置精度は要求されない。従って、ベルトドライブ程度の簡単な移動装置３０で足りるので、構造が簡単となり、小型・軽量でかつ安価に製造することができる。
【００４８】
図６（Ａ），（Ｂ）は、それぞれ第１実施形態に係るリーダライタの変形形態を示す側面図，平面図である。
図６（Ａ）の側面図に示したリーダライタ１Ａ−１は、カード挿入部６に上下方向（矢印Ａ）にカード６０を挿入するようにし、位置決め手段として、ガイドローラ４−１を設けたものである。
また、図６（Ｂ）の平面図に示したリーダライタ１Ａ−２は、カード挿入部６に左右方向（矢印Ｂ）にカード６０を挿入するようにし、位置決め手段として、ガイドローラ４−２を設けたものである。
これらの場合には、ガイドローラ４−１，４−２等で案内しなから、位置決めするので、滑らかに書込位置まで移動することができると共に、その位置で確実に固定することができる。また、使用形態にあわせて、カード６０の挿入方向を選択することができる。
【００４９】
（第２実施形態）
図７は、本発明による書換表示部付き非接触ＩＣカードのリーダライタの第２実施形態を示す図である。
なお、以下に示す各実施形態では、前述した第１実施形態と同様な機能を果たす部分には、末尾に共通した符号を付して、重複する説明を適宜省略する。
第２実施形態のリーダライタ２Ｂは、本体２の上面に透明なガラス面からなるカード６０を載置するカード載置部７を備えた上置きタイプのものであり、書換装置５０とアンテナ部２とは、本体２の内部で、カード載置部７の内側に配置されている。
図７の場合には、アンテナ部３は、書換装置５０よりも、カード載置部７側に配置されており、交信距離を接近させることができ、交信速度を上げることができる。
また、カード６０は、カード載置部７の２つのコーナに設けられた位置決め部材４Ｂによって、位置決めすることができる。
【００５０】
図８〜図１０は、第２実施形態による書換表示部付き非接触ＩＣカードのリーダライタの変形形態を示す図である。
図８のリーダライタ１Ｂ−２では、書換装置５０は、アンテナ部３よりも、カード載置部７側に配置されており、書換表示部６２の書き換えが近接して行えるので、低出力で鮮明な画像を描画することができる。
図９のリーダライタ１Ｂ−３では、アンテナ部３は、本体２の側面に縦方向に配置されており、本体２内の配置に自由度を持たせることができる。
図１０のリーダライタ１Ｂ−４では、アンテナ部３は、本体２内に斜め方向に配置されており、コイルの長さを長くとることができ、低出力で交信することが可能となる。
【００５１】
（第３実施形態）
図１１は、本発明による書換表示部付き非接触ＩＣカードのリーダライタの第３実施形態を示す図である。
図１１（Ａ）のリーダライタ１Ｃ−１は、本体２にヒンジ部８ａで開閉自在に取り付けられ、カード載置部７の表面を覆う蓋部材８を備えものである。
また、蓋部材８の閉状態を検出するリミットスイッチ（閉状態検出手段）９を備えており、書換装置５０は、リミットスイッチ９が蓋部材８の閉状態を検出しているときに、書換動作を行うようにして、レーザ光線の飛散を防止することができる。
【００５２】
図１１（Ｂ）のリーダライタ１Ｃ−２では、カード６０を載置するカード載置部７と、カード載置部７を覆う蓋部材８を備える点は、図１１（Ａ）のものと同じであるが、アンテナ部２が蓋部材８の内部に配置されている点で相違する。
この例は、上置きタイプでありながら、カード６０の下側に書換装置５０を配置し、上側にコイル部３を配置できるので、図１の挿入タイプと同じ配置となり、書換表示部６２の書き換えと、非接触ＩＣモジュール６３の交信が効率よく行える。
【００５３】
以上説明した実施形態に限定されることなく、種々の変形や変更が可能であって、それらも本発明の均等の範囲内である。
（１）  移動装置２０は、光ファイバ１３をタイミングベルト３４でＸ軸方向に移動させる例で説明したが、ネジ方式で移動させるようにしてもよい。例えば、雌ねじ部に光ファイバ１３を固定し、雄ねじ部をモータで回転させて、光ファイバ１３をＸ軸方向に移動させるようにすればよい。
【００５４】
（２）  図５の場合には、記録領域の幅方向に１文字描いた例で説明したが、幅方向に複数行の文字列があってもよい。
（３）  カードの例で説明したが、平面形状や厚みの異なるタグのようなものでもよい。
（４）  スキャニングミラー２２の長手方向のサイズを小さくして軽量化にし、移動装置２０によって、走査装置３０全体を移動させてもよい。また、Ｙ軸モータ２１は固定であって、その出力軸の断面を矩形にしておき、ミラーを出力軸に対して角孔でスライド可能に嵌合させるようにしてもよい。
【００５５】
（５）  スキャニングミラー２２は、その長辺のサイズを、ＪＩＳやＩＳＯの規格で定められたカードの長辺（８５．６ｍｍ）がカバーできるサイズにしておけば、あらゆるサイズの記録領域をもつカードに対応することができる。
また、カード基材は、上記のような規格化されたサイズのものに限らず、平面形状が正方形や円形のタグであってもよいし、形態機器に挿入する小型のカードであってもよい。
【００５６】
【発明の効果】
以上詳しく説明したように、本発明によれば、アンテナ部によって、非接触ＩＣモジュールと非接触で交信を行なうと共に、書換装置によって、非接触で書換表示部の可視情報を書き換えることができる。このとき、カードが停止した状態でよいので、カードの搬送装置が必要なく、リーダライタの構造が簡単で小型化が図れる。
このとき、カードは、カード挿入部に挿入し、位置決め手段で位置決め固定するので、書換や交信の動作が確実に行なえる。
また、書換装置とアンテナ部がカード挿入部の対向する側にある場合には、書換装置によって、カードの表側の書換表示部に書き換えを行い、アンテナ部によって、カードの裏側に近接した位置から交信できるので、両動作が安定して行なえる。
【００５７】
また、本発明の書換装置を用いれば、安価で簡単な構成により、書換表示部（可逆性感熱記録層）へ非接触で可視情報の書き換え（記録，消去）を行うことができる。そして、この書換装置によって、高速かつ高精度で、しかも、エネルギーの利用効率がよい省電力型のリーダライタを、簡単な構造により、小型・軽量でかつ安価に製造することができる。
【図面の簡単な説明】
【図１】本発明による書換表示部付き非接触ＩＣカードのリーダライタの第１実施形態を示す図である。
【図２】第１実施形態による書換表示部付き非接触ＩＣカードのリーダライタを示すブロック図である。
【図３】第１実施形態による書換表示部付き非接触ＩＣカードのリーダライタの書換装置を示す正面図及び平面図である。
【図４】第１実施形態による書換表示部付き非接触ＩＣカードのリーダライタの書換装置を示す側面図である。
【図５】第１実施形態による書換表示部付き非接触ＩＣカードのリーダライタの書換装置の描画動作を説明する図である。
【図６】第１実施形態に係るリーダライタの変形形態を示す図である。
【図７】本発明による書換表示部付き非接触ＩＣカードのリーダライタの第２実施形態を示す図である。
【図８】第２実施形態による書換表示部付き非接触ＩＣカードのリーダライタの変形形態を示す図である。
【図９】第２実施形態による書換表示部付き非接触ＩＣカードのリーダライタの変形形態を示す図である。
【図１０】第２実施形態による書換表示部付き非接触ＩＣカードのリーダライタの変形形態を示す図である。
【図１１】本発明による書換表示部付き非接触ＩＣカードのリーダライタの第３実施形態を示す図である。
【図１２】可逆性感熱記録媒体の一般的構成を説明する図である。
【図１３】ガルバノメータスキャナーを使用した走査機構の一例を示す図である。
【符号の説明】
１Ａ，１Ｂ，１Ｃ  リーダライタ
２  本体
３  アンテナ部
４  止め具
６  カード挿入部
７  カード載置部
８  蓋部材
９  リミットスイッチ
５０  記録消去装置
１０  レーザ光照射装置
１１  ＬＤドライバ
１２  半導体レーザ
１３  光ファイバ
１４  レンズヘッド
２０  走査装置
２１  Ｙ軸モータ
２２  スキャニングミラー
２３  固定折返ミラー
３０  移動装置
３１  Ｘ軸モータ
３２，３３  プーリ
３４  タイミングベルト
３５  固定具
５１  制御部
５２  操作部
５３  表示部
６０  リライトカード
６２  書換表示部（可逆性感熱記録層）
６３  ＩＣモジュール
【図１】
0004644355.tif 000002
【図２】
0004644355.tif 000003
【図３】
0004644355.tif 000004
【図４】
0004644355.tif 000005
【図５】
0004644355.tif 000006
【図６】
0004644355.tif 000007
【図７】
0004644355.tif 000008
【図８】
0004644355.tif 000009
【図９】
0004644355.tif 000010
【図１０】
0004644355.tif 000011
【図１１】
0004644355.tif 000012
【図１２】
0004644355.tif 000013
【図１３】
0004644355.tif 000014